(57)【要約】【課題】従来のキャンピングカーはその限られたスペースの中で充分な運転手用スペースを確保した上で、如何に広い居住スペースが確保できるかが課題としてあった。本発明は従来の課題に対処すべく創案されたものであり、キャンピングカーの限られたスペースの中で非運転時にはフロントシート部まではみ出して居住スペースが確保できる構造を提供することを目的とする。【解決手段】本発明は、フロントシート部とセカンドシート部を有するキャンピングカーであり、セカンドシート部は非運転時にフロントシート部側にはみ出して移動可能とされ、セカンドシート側のスペースを拡大できる構造とした。またフロントシート部には運転席と助手席とが並んで設けられ、セカンドシート部側からフロントシート部側へ移動できる通路が設けられ、外部へ出ることなく居住スペース側から運転席へ移動できる構造を特徴とする。【選択図】図１
2014094740.tif 000002
【特許請求の範囲】
【請求項１】
フロントシート部と、該フロントシート部に隣接するセカンドシート部とを車体長手方向に有するキャンピングカーであり、
前記フロントシート部には、走行方向に向かってセットされた座面と背もたれとを有する運転席が設けられ、前記セカンドシート部は、前記運転席の背もたれに隣接し、走行方向と逆向き方向にセットされた背もたれ及び座面が設けられてなり、
該セカンドシート部は、非運転時に、フロントシート部側にはみ出して移動可能とされ、セカンドシート側のスペースを前記フロントシート側へはみ出したスペース分、拡大できる構造とした、
ことを特徴とするキャンピングカー。
【請求項２】
前記フロントシート部には、運転席と助手席とが並んで設けられた、
ことを特徴とする請求項１記載のキャンピングカー。
【請求項３】
前記スペースが拡大されたセカンドシート部側からフロントシート部側へ移動できる通路が設けられ、外部へ出ることなく居住スペース側から運転席へ移動できる構造とされた、
ことを特徴とする請求項１あるいは請求項２記載のキャンピングカー。
【発明の詳細な説明】
【技術分野】
【０００１】
本発明は、少なくとも運転席を有するフロントシート部と該フロントシート部に隣接して設けられた居住スペースともなるセカンドシート部とを有するキャンピングカーに関するものである。
【背景技術】
【０００２】
従来、一般的なキャンピングカーの構造は、運転席を有するフロントシート部と非運転時に居住空間とされる居住空間部とを有して構成されている。
【０００３】
前記居住空間部には、ベッドルームのほかセカンドシート部によるダイニングルームが設けられる。
【０００４】
しかし、キャンピングカーのスペースは限られており、その限られたスペースの中で充分な運転手用スペースを確保した上で、如何に広い居住スペースが確保できるかが課題となる。
【先行技術文献】
【特許文献】
【０００５】
【特許文献１】特開２００４−５７８９４号公報
【発明の開示】
【発明が解決しようとする課題】
【０００６】
かくして、本発明は、上記の課題に対処すべく創案されたものであって、キャンピングカーの限られたスペースの中で非運転時にはフロントシート部まではみ出して居住スペースが確保できる構造のキャンピングカーを提供することを目的とするものである。
【課題を解決するための手段】
【０００７】
本発明によるキャンピングカーは、
フロントシート部と、該フロントシート部に隣接するセカンドシート部とを車体長手方向に有するキャンピングカーであり、
前記フロントシート部には、走行方向に向かってセットされた座面と背もたれとを有する運転席が設けられ、前記セカンドシート部は、前記運転席の背もたれに隣接し、走行方向と逆向き方向にセットされた背もたれ及び座面が設けられてなり、
該セカンドシート部は、非運転時に、フロントシート部側にはみ出して移動可能とされ、セカンドシート側のスペースを前記フロントシート側へはみ出したスペース分、拡大できる構造とした、
ことを特徴とし、
または、  
前記フロントシート部には、運転席と助手席とが並んで設けられた、
ことを特徴とし、
または、  
前記スペースが拡大されたセカンドシート部側からフロントシート部側へ移動できる通路が設けられ、外部へ出ることなく居住スペース側から運転席へ移動できる構造とされた、
ことを特徴とするものである。
【発明の効果】
【０００８】
本発明によるキャンピングカーであれば、キャンピングカーの限られたスペースの中で非運転時にはフロントシート部まではみ出して居住スペースが確保できる構造のキャンピングカーを提供できるとの優れた効果を奏する。
【発明を実施するための最良の形態】
【０００９】
以下、本発明によるキャンピングカーの実施例につき図に基づいて説明する。
【００１０】
図から理解されるように、キャンピングカー１は、フロントシート部２と、該フロントシート部２に隣接するセカンドシート部３と、該セカンドシート部３に隣接する居住ベッド部４とを車体長手方向に連続するよう有して構成されている。なお、前記セカンドシート部３は、居住ベッド部４を兼用するキャンピングカー１であっても構わない。
【００１１】
ここで、図３などに示すように、前記フロントシート部２には、走行方向に向かってセットされた座面７と背もたれ８とを有する運転席５が設けられている。さらに、この運転席５の隣には助手席６が設けられている。
【００１２】
次に、このフロントシート部２の後方にはセカンドシート部３が隣接して設けられているが、このセカンドシート部３の背もたれ８は前記フロントシート部２の背もたれ８と逆向きに設置されている（図４参照）。
【００１３】
すなわち、セカンドシート部３の背もたれ８や座面7は、前記フロントシート部２の運転席５，助手席６の背もたれ８に隣接して設けられてはいるが、走行方向とは逆向き方向にセットされて設置されている。
【００１４】
そして、本発明では、このセカンドシート部３は、非運転時には、フロントシート部２側にはみ出して移動可能とされており、セカンドシート部３側のスペースを前記フロントシート部２側へはみ出したスペース分、拡大できる構造としてある(図１，図２参照)。
【００１５】
ここで、そのスペースが拡大できる構造については何ら限定されないが、その一実施例を説明する。
【００１６】
図５，図６にセカンドシート部３の構成を示す。該セカンドシート部３は、略直方形状に枠組みされた基礎枠部９を有しており、その上面において走行方向（前後方向）に向かっては、基礎枠部９の幅方向両側に一対のレール部１０、１０が設けられている。該レール部１０は、図８から理解されるように、断面略凸条に形成されており、このレール部１０は、セカンドシート部３の座面７を走行方向に移動できるようにした摺動溝条１１、１１内に遊嵌されている。
【００１７】
そして、前記レール部１０の長手方向には、所定の間隔をあけて切り欠きストッパー１２・・・・が設けられており、該切り欠きストッパー１２内に摺動停止部材１４のストッパー片１３が挿入されて、前記レール部１０の走行方向における移動をストップできるように構成されている。
【００１８】
図８に示すように、摺動停止部材１４は、一対のストッパー片１３、１３及びこの一対のストパー片１３、１３を連動させて操作する操作部材１５を有して構成され、操作部材１５の操作杆１６を上下動させることにより、一対のストッパー片１３、１３を所望する位置の切り欠きストッパー１２、１２に挿入して、セカンドシート部３における座面７の位置を換えられるよう構成されている。
【００１９】
図３及び図４には、通常の運転席５の状態を示したものであり、セカンドシート部３は、フロントシート部２側に移動していないため、セカンドシート部３側のスペースは図４に示す如く狭いスペースとなっている。
【００２０】
しかしながら、運転を終え、運転席５などのスペース確保が必要でない場合には、図１及び図２に示すように、運転席５や助手席６の背もたれ８を倒すと共に、セカンドシート部３の座面７をフロントシート部２側にはみ出すように移動させ、セカンドシート部３のスペースを拡大させることができるのである。ここで、運転席５や助手席６の背もたれ８を倒す操作は、セカンドシート部３側から行える様に構成してある。例えば、セカンドシート部３側の壁面に操作部を設け、該操作部を引っ張ることにより運転席５や助手席６の背もたれ８を倒せるがごとき構成である。
【００２１】
また、セカンドシート部３は、図から理解されるように、後向きの２人掛けシートとなっており、この背もたれ８についてもレバー操作などによりリクライニングさせることが出来、座面７の上にうつ伏せに畳む事も出来る。    
よって、運転手、あるいは助手などが居住ベッド部４から、一度外に出て、運転席のドアから再び運転席５や助手席６に乗る必要がなく、背もたれ８が折りたたまれ、空間ができた箇所を通路として使用し、一気にセカンドシート部３側からフロントシート部２に移動することができる。この構造は特に冷え込む冬期にきわめて有効である。
【００２２】
また、セカンドシート部３の座面７は、前述のように、前後に、すなわち走行方向に大きくスライドさせられ、フロントシート部２の座面７後端付近まで移動出来る構成となっている。
【００２３】
そして、フロントシート部２の背もたれ８をうつ伏せにすると、セカンドシート部３の座面７をフロントシート部２の座面７後端付近まで移動させた状態でもセカンドシート部３の背もたれ８をリクライニングさせられる構造となっている。
【００２４】
しかして、この様な状態にすることにより、セカンドシート部３などのキャンピングカー後部のスペースを広く取ることが出来る。
【００２５】
なお、車両としての構造要件を満たすシートベルト（２点式）は当然の装備となっている。
【００２６】
次に、フロントシート部２の構成につき説明する。
【００２７】
まず、運転席５および助手席６のシートともに、いわゆるメーカー標準のシートとなっている。
【００２８】
また、前述のように、いわゆるリクライニングレバーをセカンドシート部３側から遠隔操作できるようリンケージとワイヤーを取り付け、これらに連動する操作部をセカンドシート部３側に設けてある。よって、前記操作部を引っ張り、ワイヤーが引っ張られると、フロントシート部２の背もたれ８が前方に倒れる構造となっている。
【００２９】
ここで、本発明によるキャンピングカー１の使用状態につき説明する。
【００３０】
車両運転中は、セカンドシート部３を車両後方にずらし、フロントシート部２の背もたれ８を起こし、通常、運転手と助手と２人乗車して運転する。
【００３１】
停車時はフロントシート部２を使わないので、セカンドシート部３側から操作部のワイヤーを引いてフロントシート部２の背もたれ８を前方に倒し、セカンドシート部３を車両前方にずらして後部の居住スペースを広く使用するものとする。キャンピングカー１自体の大きさ、スペースは限られており、その限られたスペースの中で、しかも、簡単な操作のみで停車時の居住スペースを広く使用できるという大きな効果を有することになる。
【００３２】
なお、車外に出ずにフロントシート部２からセカンドシート部３へ移動（前から後ろへ）も簡単にできる。
【００３３】
まず、フロントシート部２の中央の補助席の背もたれ８を折り畳む。すなわち、フロントシート部２の背もたれ８は、運転席５及び助手席６、並びにその間にある補助席用に３つ有していることになる。
【００３４】
次いで、補助席背もたれ８の上に立ちワイヤーを引いて運転席５の背もたれ８を前方に倒す。その後、セカンドシート部３のリクライニングレバーを操作しセカンドシート部３の背もたれ８を伏せて折り畳む。
【００３５】
そして、セカンドシート部３の背もたれ８を乗り越えて後部へ移動する。
その後、セカンドシート部３のリクライニングレバーを操作し、セカンドシート部３の背もたれ８を起こして快適な角度に調整する。
【００３６】
次に、停車時において、車外に出ずにセカンドシートからフロントシートへ移動（後ろから前へ）する状態につき説明する。
【００３７】
セカンドシート部３のリクライニングレバーを操作しセカンドシート部３の背もたれ８を伏せて折り畳む。
【００３８】
次いで、フロントシート部２の中央の補助席の背もたれ８を畳む。そして、セカンドシート部３の既に折りたたんである背もたれ８を乗り越えて前方へ移動する。
【００３９】
その後、運転席５の背もたれ８に手を掛けて、この背もたれ８を起こす。そして、運転席５に着座し、背もたれ８を運転に適した角度に調整する。
【図面の簡単な説明】
【００４０】
【図１】本発明によるキャンピングカーの構成を説明する構成説明図（１）である。
【図２】本発明によるキャンピングカーの構成を説明する構成説明図（２）である。
【図３】本発明によるキャンピングカーの構成を説明する構成説明図（３）である。
【図４】本発明によるキャンピングカーの構成を説明する構成説明図（４）である。
【図５】セカンドシート部がフロントシート部側へはみ出して移動ができる具体的な構成を示した説明図（１）である。
【図６】セカンドシート部がフロントシート部側へはみ出して移動ができる具体的な構成を示した説明図（２）である。
【図７】セカンドシート部がフロントシート部側へはみ出して移動ができる具体的な構成を示した説明図（３）である。
【図８】セカンドシート部がフロントシート部側へはみ出して移動ができる具体的な構成を示した説明図（４）である。
【符号の説明】
【００４１】
１      キャンピングカー
２      フロントシート部
３      セカンドシート部
４      居住ベッド部
５      運転席
６      助手席
７      座面
８      背もたれ
９      基礎枠部
１０    レール部
１１    摺動溝条
１２    切り欠きストッパー
１３    ストッパー片
１４    摺動停止部材
１５    操作部材
１６    操作杆
【図１】
2014094740.tif 000003
【図２】
2014094740.tif 000004
【図３】
2014094740.tif 000005
【図４】
2014094740.tif 000006
【図５】
2014094740.tif 000007
【図６】
2014094740.tif 000008
【図７】
2014094740.tif 000009
【図８】
2014094740.tif 000010